(57)【要約】【課題】エアフィルタのメンテナンスにかかる労力を軽減することができる室内機ユニットおよび空気調和機を提供する。【解決手段】天井に設置される筐体と、筐体内に室内空気を流入させる吸入部と、吸入部から流入する塵埃を捕集するエアフィルタ３１と、エアフィルタ３１に付着した塵埃を取り除く塵埃除去部３５と、塵埃除去部３５が取り除いた塵埃を捕集する捕集部３７と、捕集部３７を筐体から昇降可能に支持する昇降部５７と、が設けられたことを特徴とする。【選択図】図３
2010096499.tif 000002
【特許請求の範囲】
【請求項１】
天井に設置される筐体と、
該筐体内に室内空気を流入させる吸入部と、
該吸入部から流入する塵埃を捕集するエアフィルタと、
該エアフィルタに付着した塵埃を取り除く塵埃除去部と、
該塵埃除去部が取り除いた塵埃を捕集する捕集部と、
前記捕集部を前記筐体から昇降可能に支持する昇降部と、
が設けられていることを特徴とする室内機ユニット。
【請求項２】
前記エアフィルタは前記筐体に保持されたまま、前記捕集部は前記昇降部により前記筐体から昇降可能に保持されることを特徴とする請求項１記載の室内機ユニット。
【請求項３】
前記エアフィルタは前記筐体に保持されたまま、前記該塵埃除去部は前記昇降部により前記筐体から昇降可能に保持されることを特徴とする請求項１または２に記載の室内機ユニット。
【請求項４】
請求項１から請求項３のいずれかに記載の室内機ユニットと、
該室内機ユニットとともに冷媒が循環する冷媒回路を構成する室外機ユニットと、
を有することを特徴とする空気調和機。
【発明の詳細な説明】
【技術分野】
【０００１】
本発明は、室内機ユニットおよび空気調和機に関する。
【背景技術】
【０００２】
従来、空気調和機の室内機ユニットは、室内空気を内部に吸入し、その温度を調整した後、再び室内へ温度調整された室内空気を吹き出している。この際に、室内空気中に浮遊する塵埃を捕集し、室内機ユニット内に侵入するのを防ぐエアフィルタが、室内機ユニットの吸入口に設けられている。
【０００３】
室内機ユニットを運転し続けると、エアフィルタには捕集された塵埃が蓄積される。すると、エアフィルタにおける室内空気の流通抵抗が増加し、室内機ユニットの効率が低下する問題があった。一方、蓄積された塵埃にカビなどが発生する恐れもあった。
上述の問題を解決するためには、エアフィルタに蓄積された塵埃を取り除く必要があった。
【０００４】
しかしながら、通常、室内機ユニットは高所に設置されることが多く、エアフィルタの清掃を行うことは容易でなかった。特に、天井埋め込み式室内機ユニットや、天井吊り下げ式室内機ユニットは、設置位置が天井に近くエアフィルタの清掃作業が困難を伴うものであった。
そのため、高所に設置されたエアフィルタの清掃に関するさまざまな技術が提案されている（例えば、特許文献１参照。）。
【先行技術文献】
【特許文献】
【０００５】
【特許文献１】特許第３２９７４２２号公報（第２−３頁、第１図等）
【発明の概要】
【発明が解決しようとする課題】
【０００６】
上述の特許文献１には、エアフィルタを含む吸込みグリルを、天井埋込型空気調和機から下方へ吊下ろすワイヤと、ワイヤを巻上、巻き下ろすモータの構成が開示されている。
上記構成によれば、高所に配置された空気調和機から、エアフィルタを含む吸込みグリルのみを吊下ろし、エアフィルタの清掃を行うことができる。
しかしながら、上述の構成によれば、エアフィルタに塵埃が付着するたびにエアフィルタを清掃する必要があり、エアフィルタの清掃頻度が高いという問題があった。一方、エアフィルタの清掃頻度を下げると、エアフィルタにおける流通抵抗が高くなり空気調和機の性能が低下する問題があった。
【０００７】
本発明は、上記の課題を解決するためになされたものであって、エアフィルタのメンテナンスにかかる労力を軽減することができる室内機ユニットおよび空気調和機を提供することを目的とする。
【課題を解決するための手段】
【０００８】
上記目的を達成するために、本発明は、以下の手段を提供する。
本発明の室内機ユニットは、天井に設置される筐体と、該筐体内に室内空気を流入させる吸入部と、該吸入部から流入する塵埃を捕集するエアフィルタと、該エアフィルタに付着した塵埃を取り除く塵埃除去部と、該塵埃除去部が取り除いた塵埃を捕集する捕集部と、前記捕集部を前記筐体から昇降可能に支持する昇降部と、が設けられたことを特徴とする。
【０００９】
本発明によれば、塵埃除去部によりエアフィルタに付着した塵埃を取り除くことができるため、エアフィルタの清掃において、エアフィルタを天井に設置された筐体から取り外す必要がない。そのため、作業者が高所に上がる必要がなくなり、エアフィルタのメンテナンスに要する労力を軽減することができる。
塵埃除去部により取り除かれた塵埃は捕集部により捕集され、昇降部により、捕集部ごと筐体から下ろすことができる。そのため、作業者が塵埃を捕集した捕集部を筐体から取り除くために高所に上がる必要がなくなり、メンテナンスに要する労力を軽減することができる。
捕集部は取り除かれた塵埃を一時的に蓄積できるため、エアフィルタの清掃を行うたびに塵埃を捕集部から取り除く必要がない。つまり、捕集部から塵埃を取り除くのは、複数回のエアフィルタの清掃に対して１回行えばよく、エアフィルタのメンテナンスに要する労力を軽減することができる。
【００１０】
上記発明においては、前記エアフィルタは前記筐体に保持されたまま、前記捕集部は前記昇降部により前記筐体から昇降可能に保持されることが望ましい。
【００１１】
上記発明においては、前記エアフィルタは前記筐体に保持されたまま、前記該塵埃除去部は前記昇降部により前記筐体から昇降可能に保持されることが望ましい。
【００１２】
本発明によれば、エアフィルタも昇降させる場合に比べ昇降部に係る負荷を軽減することができる
【００１３】
本発明の空気調和機は、上記本発明の室内機ユニットと、該室内機ユニットとともに冷媒が循環する冷媒回路を構成する室外機ユニットと、を有することを特徴とする。
【００１４】
本発明によれば、上記本発明の室内機ユニットを用いることにより、エアフィルタのメンテナンスに際して、作業者が高所に上がる必要がなくなり、エアフィルタのメンテナンスに要する労力を軽減することができる。
捕集部から塵埃を取り除くのは、複数回のエアフィルタの清掃に対して１回行えばよく、エアフィルタのメンテナンスに要する労力を軽減することができる。
【発明の効果】
【００１５】
本発明の室内機ユニットおよび空気調和機によれば、塵埃除去部によりエアフィルタに付着した塵埃を取り除くことができるため、作業者が高所に上がる必要がなくなり、エアフィルタのメンテナンスに要する労力を軽減することができるという効果を奏する。
塵埃除去部により取り除かれた塵埃は捕集部により捕集され、昇降部により、捕集部ごと筐体から下ろすことができる。そのため、作業者が高所に上がる必要がなくなり、エアフィルタのメンテナンスに要する労力を軽減することができるという効果を奏する。
捕集部から塵埃を取り除くのは、複数回のエアフィルタの清掃に対して１回行えばよく、エアフィルタのメンテナンスに要する労力を軽減することができるという効果を奏する。
【図面の簡単な説明】
【００１６】
【図１】本発明の第１の実施形態に係る空気調和機の全体構成を説明する図である。
【図２】図１の室内機ユニットの概略構成を説明する断面図である。
【図３】図２の室内機ユニットにおける吸込みグリルの構成を説明する部分斜視図である。
【図４】図２のダストボックスを駆動する駆動部の構成を説明する部分上面視図である。
【図５】図４のダストボックスと割ナットとの嵌め合わせを説明する断面図である。
【図６】図３のダストボックスに捕集されたゴミの量の検出部を説明する斜視図である。
【図７】図６の検出部を説明する断面図である。
【図８】本発明の第２の実施形態に係る室内機ユニットにおけるブラシ部およびダストボックスの構成および作用を説明する図である。
【図９】図８のダストボックス内のゴミの除去を説明する図である。
【図１０】本発明の第３の実施形態に係る室内機ユニットにおけるダストボックスと駆動部との嵌め合わせの構成を説明する図である。
【図１１】本発明の第４の実施形態に係る室内機ユニットにおけるダストボックスと駆動部との嵌め合わせの構成を説明する図である。
【図１２】本発明の第５の実施形態に係る室内機ユニットにおけるダストボックスおよび駆動部の構成を説明する図である。
【図１３】本発明の第６の実施形態に係る室内機ユニットにおけるダストボックスおよび検出部の構成を説明する図である。
【図１４】本発明の第７の実施形態に係る室内機ユニットにおけるダストボックスおよび検出部の構成を説明する図である。
【図１５】本発明の第８の実施形態に係る室内機ユニットの構成を説明する断面図である。
【図１６】図１５の室内機ユニットにおける昇降部、エアフィルタおよびダストボックスの構成を説明する部分斜視図である。
【図１７】図１６のダストボックスおよびブラシ部の構成を説明する斜視図である。
【図１８】図１５の室内機ユニットにおける駆動部を説明する部分断面視図である。
【図１９】本発明の第９の実施形態に係る室内機ユニットの構成を説明する断面図である。
【図２０】図１９の室内機ユニットにおける昇降部、エアフィルタおよびダストボックスの構成を説明する部分斜視図である。
【図２１】本発明の第１０の実施形態に係る室内機ユニットの構成を説明する断面図である。
【図２２】図２１の室内機ユニットにおける吸込みグリル、天面パネルおよびスペーサの構成を説明する部分斜視図である。
【図２３】図２２のスペーサの構成を説明する分解斜視図である。
【図２４】図２３の上部伝達部の構成を説明する部分断面図である。
【図２５】図２３の上部伝達部とウォームギアと組み合わせを説明する部分斜視図である。
【図２６】図２２の吸込みグリル、エアフィルタおよび清掃部の構成を説明する部分分解斜視図である。
【図２７】図２６の台座の構成を説明する平面図である。
【図２８】図２７の回転用ラックギアの形状を説明するＡ−Ａ断面視図である。
【図２９】図２７の台座および清掃部の組み合わせを説明するＢ−Ｂ断面視図である。
【図３０】図２６に示す清掃部の回転ブラシおよび捕集部の構成を説明する断面図である。
【図３１】図３０のすき歯の別の構成を説明する断面図である。
【図３２】図２２の吸込みグリルに設けられた塵埃量検知部の構成を説明する平面図である。
【図３３】図３２の塵埃量検知部の構成を説明する断面視図である。
【図３４】図２２のエアフィルタから清掃部を取り外す方法を説明する図である。
【図３５】図２２のエアフィルタから清掃部を取り外す方法を説明する図である。
【図３６】図２２のエアフィルタから清掃部を取り外す方法を説明する図である。
【発明を実施するための形態】
【００１７】
〔第１の実施形態〕
以下、本発明の第１の実施形態に係る空気調和機について図１から図７を参照して説明する。
図１は、本実施形態に係る空気調和機の全体構成を説明する図である。
空気調和機１は、図１に示すように、天井に設置される室内機ユニット３と、室外に設置される室外機ユニット５と、室内機ユニット３と室外機ユニット５との間で冷媒を循環させる冷媒流路７と、から概略構成されている。
室外機ユニット５は、図１に示すように、冷媒を圧縮する圧縮機９と、冷媒と室外空気との間で熱交換を行なう室外熱交換器１１と、室外ファン１３と、から概略構成されている。
【００１８】
図２は、図１の室内機ユニットの概略構成を説明する断面図である。
室内機ユニット３は、図１および図２に示すように、下部に天面パネル１４を有し、天井に埋め込み設置される筐体１５と、天面パネル１４の空気吸入部１６に設けられ、室内空気を吸込む吸込口１７が形成された吸込みグリル１９と、室内空気を吸込み送り出す室内ファン２１と、室内空気と冷媒との間で熱交換を行なう室内熱交換器２３と、から概略構成されている。
【００１９】
筐体１５内部の上面における略中央には、室内ファン２１を駆動するファンモータ２５が配置され、室内ファン２１およびファンモータ２５の周囲には、室内熱交換器２３が配置されている。室内ファン２１の下方（図２中の下方）には、室内ファン２１に流入する室内空気の流れを整えるベルマウス２７が配置され、ベルマウス２７の下方には、吸込みグリル１９が配置されている。天面パネル１４に設けられた吸込みグリル１９の周囲には、室内ファン２１から室内熱交換器２３を通過した室内空気が、筐体１５から流出する吹出口２９が形成されている。
【００２０】
図３は、図２の室内機ユニットにおける吸込みグリルの構成を説明する部分斜視図である。
吸込みグリル１９には、図２および図３に示すように、略中央領域に吸込口１７が形成され、縁領域である枠部には、塵埃などのゴミを捕集するエアフィルタ３１を支持する一対の支持部材３３と、後述するガイドレールとが配置されている。
吸込みグリル１９とエアフィルタ３１との間には、エアフィルタ３１に付着したゴミを取り除くブラシ部（塵埃除去部）３５と、ブラシ部３５を下方から覆うダストボックス（捕集部）３７とが配置されている。吸込みグリル１９面上には、ダストボックス３７と嵌め合わされて、ブラシ部３５およびダストボックス３７の移動方向を規制するガイドレール３９が、一対の支持部材３３をつなぐように配置されている。
【００２１】
図４は、図２のダストボックスを駆動する駆動部の構成を説明する部分上面視図である。
筐体１５における吸込みグリル１９と吹出口２９との間には、図２および図４に示すように、ブラシ部３５およびダストボックス３７を駆動する駆動部４１が配置されている。駆動部４１は、ダストボックス３７を駆動する割ナット４３と、割ナット４３と螺合されている駆動スクリュウ４５と、駆動スクリュウ４５を右回りおよび左回りに回転駆動する駆動モータ４７と、から概略構成されている。
【００２２】
駆動部４１は、上面視（図４参照）において、エアフィルタ３１と重ならない領域に配置されている。
駆動スクリュウ４５は、ガイドレール３９と略平行に延びるように配置され、その一端に駆動モータ４７が接続されている。他端は筐体１５に回転可能に支持されている。
割ナット４３は、ダストボックス３７内に嵌め合わされている。
【００２３】
ブラシ部３５は、図２および図３に示すように、上方に延びるブラシとブラシを固定する本体とから構成され、ガイドレール３９に対して略直交方向に延びるように配置されている。ブラシ部３５の長手方向の長さは、少なくともエアフィルタ３１の上記方向の長さと同等であることが望ましい。
【００２４】
図５は、図４のダストボックスと割ナットとの嵌め合わせを説明する断面図である。
ダストボックス３７は、ブラシ部３５と同様に、ガイドレール３９に対して略直交方向に延びるように配置されている。また、ダストボックス３７は、図４に示すように、エアフィルタ３１が配置された領域から駆動部４１が配置された領域にまで届く長さに形成されている。
ダストボックス３７は、少なくとも割ナット４３と嵌め合わされる領域において、図５に示すように、側壁が上方に向かって互いに離れるテーパ状に形成されている。割ナット４３は、側面がダストボックス３７の側壁に沿うように傾斜して形成されていてもよいし、ダストボックス３７内に納まる幅の直方形状の断面を有するように形成されていてもよい。
【００２５】
図６は、図３のダストボックスに捕集されたゴミの量の検出部を説明する斜視図である。図７は、図６の検出部を説明する断面図である。
ダストボックス３７内には、その長手方向に移動可能な仕切り板４９と、仕切り板４９の移動量によって捕集されたゴミの量を検出する検出部５１が配置されている。
ダストボックス３７内は、仕切り板４９によりゴミが貯えられる領域と、検出部５１が配置される領域とに分けられる。仕切り板４９は、バネなどの付勢部材５３によりゴミが貯えられる領域方向に移動するように付勢されており、ゴミがダストボックス内に捕集されるにともない検出部５１側へ移動するように構成されている。
検出部５１には、仕切り板４９の検出部５１側へ移動により上方へ突出するリンク部５５が設けられ、リンク部５５の突出を検出することによりゴミの捕集量を検出できるように構成されている。
なお、検出部５１によってダストボックス３７内に所定量のゴミが捕集されたことが検出されると、例えば室内機ユニット３、あるいは図示しない操作リモコン、集中コントローラー等に設けられた適宜の報知手段により、所定量のゴミが捕集されていること報知できるようにするとよい。
【００２６】
筐体１５と吸込みグリル１９との間には、図３に示すように、吸込みグリル１９およびその上に配置されたブラシ部３５、ダストボックス３７、エアフィルタ３１を昇降させる昇降部５７が設けられている。
昇降部５７は、筐体１５に配置された昇降モータ５９と、吸込みグリル１９に配置されたプーリ６１と、プーリ６１を介して両端が昇降モータ５９と筐体１５に固定されたワイヤ６３と、から概略構成されている。
昇降モータ５９には、ワイヤ６３を巻き取り・巻き戻しするスプロール６５が配置されている。
プーリ６１は、自ら回転することによりワイヤ６３を移動可能に支持するものであり、吸込みグリル１９の四隅に配置されている。
ワイヤ６３は、筐体１５に固定された端部から、吸込みグリル１９の一辺に沿うように２つのプーリ６１に掛けられ、スプロール６５に巻き取られている。
【００２７】
次に、上記の構成からなる空気調和機１における作用について説明する。
まず、空気調和機１における冷房運転時の作用について説明する。
冷媒は、図１に示すように、圧縮機９により圧縮され高温高圧の状態で室外熱交換器１１に送り出される。室外熱交換器１１に流入した冷媒は、室外空気に対して熱を放出し、凝縮・液化する。液化した冷媒は、膨張弁を通過する際に減圧され室内熱交換器２３に流入する。室内熱交換器２３に流入した冷媒は、室内空気から熱を奪い、蒸発・気化する。気化した冷媒は再び圧縮機９に流入し、上述のサイクルを繰り返す。
【００２８】
次に空気調和機１における暖房運転時の作用について説明する。
冷媒は、圧縮機９により圧縮され室内熱交換器２３に送り出される。室内熱交換器２３に流入した冷媒は、室内空気に対して熱を放出し、凝縮・液化する。液化した冷媒は、膨張弁を通過する際に減圧され室外熱交換器１１に流入する。室外熱交換器１１に流入した冷媒は、室外熱交換器１１から熱を奪い、蒸発・気化する。気化した冷媒は再び圧縮機９に流入し、上述のサイクルを繰り返す。
【００２９】
次に、室内機ユニット３内における室内空気の流れについて説明する。
室内空気は、図２に示すように、ファンモータ２５により室内ファン２１が回転することにより、吸込口１７から筐体１５内に流入する。筐体１５に流入した室内空気は、エアフィルタ３１を通過し、室内空気に含まれるゴミがエアフィルタ３１に捕集される。エアフィルタ３１を通過した室内空気は、ベルマウス２７を通過して室内ファン２１に吸込まれる。室内ファン２１に吸込まれた室内空気は、室内ファン２１の半径方向外側へ送り出され、室内熱交換器２３を通過する。
【００３０】
冷房運転時には、室内空気は室内熱交換器２３を通過する際に冷媒に熱を奪われ冷却される。一方、暖房運転時には、室内空気は室内熱交換器２３を通過する際に冷媒から熱を受取り加熱される。
室内熱交換器２３を通過した室内空気は、吹出口２９から室内へ流出する。
【００３１】
次に、本実施形態の特徴であるエアフィルタの清掃における作用について説明する。
上述のように、室内機ユニット３の運転によりエアフィルタ３１に付着したゴミは、図２に示すように、ブラシ部３５を往復動させることにより取り除かれる。
具体的には、図２および図３に示すように、駆動スクリュウ４５が駆動モータ４７により回転駆動される。駆動スクリュウ４５の回転は、割ナット４３により往復動に変換される。割ナット４３の往復動は、嵌め合わされたダストボックス３７に伝達される。ブラシ部３５はダストボックス３７とともに往復動されるため、エアフィルタ３１に付着したゴミを掻き落とし、掻き落とされたゴミはダストボックス３７に捕集される。
なお、上述のようなゴミの除去運転は、エアフィルタ３１の目詰まり状態、室内機ユニット３の運転積算時間、室内機ユニット３の運転終了等を検出して駆動モータ４７を駆動することにより適宜実施することができる。
【００３２】
ダストボックス３７に捕集されたゴミは、図６および図７に示すように、仕切り板４９を検出部５１側へ移動させる。ダストボックス３７内に所定量のゴミが捕集されると、仕切り板４９の移動を受けたリンク部５５が上方へ所定の高さに突出する。検出部５１はリンク部５５の突出を検出することで捕集されたゴミの量を検出し、所定量のゴミが捕集されると、それを前述のように適宜の手段によって報知する。
【００３３】
ダストボックス３７内に所定量のゴミが捕集されたことが検出されると、ダストボックス３７内のゴミの除去が行われる。
まず、図３に示すように、リモコン等の操作により昇降モータ５９が回転制御され、スプロール６５に巻き取られていたワイヤ６３を繰り出す。ワイヤ６３が繰り出されると、プーリ６１が回転し、吸込みグリル１９は姿勢を略水平に保ったまま筐体１５から吊下ろされる。なお、この時、吸込みグリル１９に配置されたエアフィルタ３１、ブラシ部３５およびダストボックス３７なども吸込みグリル１９とともに吊下ろされる。
ダストボックス３７と割ナット４３とは、図５に示すように、嵌め合わされているだけなので、ダストボックス３７が下方に移動することにより、嵌め合わせは解除される。
【００３４】
図３に示すように、吸込みグリル１９などが床面近くまで降りてきたら、作業者はダストボックス３７からゴミを取り除く。また、必要がある場合には、エアフィルタ３１に残留するゴミを直接取り除いてもよい。
作業が終了したら、昇降モータ５９を駆動することにより、ワイヤ６３をスプロール６５に巻き取る。ワイヤ６３が巻き取られると、吸込みグリル１９は姿勢を略水平に保ったまま上方へ移動し、筐体１５に収納される。
ダストボックス３７の側面は、図５に示すように、上方に向かって互いに離れる方向に傾斜しているため、ダストボックス３７と割ナット４３とは、斜面の傾斜により互いの相対位置を修正して嵌め合わされる。
【００３５】
上記の構成によれば、ブラシ部３５によりエアフィルタ３１に付着したゴミを取り除くことができるため、エアフィルタ３１の清掃において、エアフィルタ３１を天井に設置された筐体から取り外す必要がない。そのため、作業者が高所に上がる必要がなくなり、エアフィルタ３１のメンテナンスに要する労力を軽減することができる。
【００３６】
ブラシ部３５により取り除かれたゴミはダストボックス３７により捕集され、昇降部５７により、ダストボックス３７ごと筐体１５から下ろすことができる。そのため、作業者がゴミを捕集したダストボックス３７を筐体１５から取り除くために高所に上がる必要がなくなり、メンテナンスに要する労力を軽減することができる。
【００３７】
ダストボックス３７は取り除かれたゴミを一時的に蓄積できるため、エアフィルタ３１の清掃を行うたびにゴミをダストボックス３７から取り除く必要がない。つまり、ダストボックス３７からゴミを取り除くのは、複数回のエアフィルタ３１の清掃に対して１回行えばよく、エアフィルタ３１のメンテナンスに要する労力を軽減することができる。
【００３８】
駆動部４１により、ブラシ部３５とエアフィルタ３１とを相対的に移動させることができ、エアフィルタ３１に付着したゴミを除去することができる。
駆動モータ４７等が筐体１５に配置されているため、ダストボックス３７等を昇降させる昇降部５７に係る負荷を軽減させることができる。
【００３９】
昇降部５７により、エアフィルタ３１も筐体１５から昇降可能に支持されるため、作業者が直接エアフィルタ３１の清掃を容易に行うことができる。また、作業者はエアフィルタ３１におけるブラシ部３５がゴミを除去できない領域の清掃を行うことができる。
【００４０】
なお、図４に示すように、１つの駆動部４１が吸込みグリル１９の一方の縁部にのみ配置されていてもよいし、一対の駆動部が吸込みグリル１９の互いに対向する縁部に配置されていてもよく、特に限定されるものではない。
【００４１】
〔第２の実施形態〕
次に、本発明の第２の実施形態について図８および図９を参照して説明する。
本実施形態の空気調和機の基本構成は、第１の実施形態と同様であるが、第１の実施形態とは、ブラシ部およびダストボックスの構成が異なっている。よって、本実施形態においては、図８および図９を用いてブラシ部およびダストボックスの構成を説明し、その他の構成要素等の説明を省略する。
図８（ａ）から図８（ｄ）は、本実施形態に係る室内機ユニットにおけるブラシ部およびダストボックスの構成を説明する図である。
なお、第１の実施形態と同一の構成要素には、同一の符号を付してその説明を省略する。
【００４２】
空気調和機１０１の室内機ユニット１０３には、図８（ａ）に示すように、エアフィルタ３１に付着したゴミを取り除くブラシ部（塵埃除去部）１３５と、ブラシ部１３５を下方から覆うダストボックス（捕集部）１３７と、が設けられている。
ブラシ部１３５は、上方および下方に延びるブラシと、ブラシを固定する本体とから構成されている。
ダストボックス１３７は、少なくとも割ナット４３と嵌め合わされる領域において、内面が上方に向かって互いに離れるテーパ状に形成されている。なお、第１の実施形態と同様に、側壁全体がテーパ状に形成されていてもよく、特に限定するものではない。
【００４３】
上記の構成からなる空気調和機１０１における作用について説明する。
空気調和機１０１の冷房運転および暖房運転における作用、室内機ユニット１０３内における室内空気の流れは、第１の実施形態と同様であるので、その説明を省略する。
【００４４】
室内機ユニット１０３におけるエアフィルタ３１の清掃における作用について説明する。
エアフィルタ３１にゴミが付着すると、図８（ａ）に示すように、駆動スクリュウ４５が駆動モータ４７により回転駆動される。駆動スクリュウ４５の回転は、割ナット４３の駆動スクリュウ４５に沿った方向への移動に変換される。割ナット４３の移動は、嵌め合わされたダストボックス１３７に伝達され、ダストボックス１３７はブラシ部１３５とともに移動する。ブラシ部１３５は移動することにより、エアフィルタ３１に付着したゴミを掻き落とし、掻き落とされたゴミはダストボックス１３７に捕集される。
【００４５】
その後、ブラシ部１３５およびダストボックス１３７は、図８（ｂ）に示すように、駆動スクリュウ４５の端部であってエアフィルタ３１が配置されていない領域まで移動する。端部まで移動したブラシ部１３５は、図８（ｂ），（ｃ）に示すように、略１８０°回転して、ゴミをダストボックス１３７の下方へ押し込む。この時同時に検出部５１により、ダストボックス１３７内に捕集されたゴミの量を検出する。
【００４６】
ブラシ部１３５の回転およびゴミの量の検出が終了すると、図８（ｄ）に示すように、ブラシ部１３５およびダストボックス１３７は反対方向（駆動モータ４７側）へ駆動される。具体的には、駆動モータ４７および駆動スクリュウ４５の回転方向を反転させて、割ナット４３を駆動モータ４７側へ移動させることで、ブラシ部１３５およびダストボックス１３７を移動させる。
【００４７】
図９は、図８のダストボックス内のゴミの除去を説明する図である。
ダストボックス１３７内に所定量のゴミが捕集されると、ダストボックス１３７内のゴミの除去が行われる。具体的には、図９に示すように、第１の実施形態と同様に、昇降部５７によりブラシ部１３５およびダストボックス１３７はエアフィルタ３１とともに吊下ろされるため、その説明を省略する。
【００４８】
上記の構成によれば、ブラシ部１３５を半回転させることにより、ゴミをダストボックス１３７の下方に押し込むことができる。そのため、ゴミがダストボックス１３７から飛び出すことを防止でき、飛び出したゴミが室内に落下するのを防止できる。
一方、ゴミをダストボックス１３７内に押し込むことができ、より多くのゴミをダストボックス１３７内に捕集できる。そのため、ダストボックス１３７からゴミを取り除く頻度を下げることができ、エアフィルタ３１のメンテナンスに要する労力を軽減することができる。
【００４９】
〔第３の実施形態〕
次に、本発明の第３の実施形態について図１０を参照して説明する。
本実施形態の空気調和機の基本構成は、第１の実施形態と同様であるが、第１の実施形態とは、ダストボックスと駆動部との嵌め合わせの構成が異なっている。よって、本実施形態においては、図１０を用いてダストボックスと駆動部との嵌め合わせの構成を説明し、その他の構成要素等の説明を省略する。
図１０は、本実施形態に係る室内機ユニットにおけるダストボックスと駆動部との嵌め合わせの構成を説明する図である。
なお、第１の実施形態と同一の構成要素には、同一の符号を付してその説明を省略する。
【００５０】
空気調和機１５１の室内機ユニット１５３には、図１０に示すように、エアフィルタ３１に付着したゴミを取り除くブラシ部（図示せず）が内部に配置されたダストボックス（捕集部）１８７と、ダストボックス１８７をエアフィルタ３１に沿って駆動する駆動部１９１とが設けられている。
ダストボックス１８７には、少なくとも駆動部１９１と嵌め合わされる領域において、上方に向かって突出する突起部１８９が形成されている。突起部１８９には、上方に向かって互いに接近する傾斜面が形成されている。
【００５１】
駆動部１９１は、ダストボックス１８７を駆動する割ナット１９３と、割ナット１９３と螺合されている駆動スクリュウ４５と、駆動スクリュウ４５を回転駆動する駆動モータ４７と、から概略構成されている。
割ナット１９３には、ダストボックス１８７の突起部１８９と嵌め合わされる凹部１９５が形成されている。凹部１９５は、突起部１８９の形状に沿うように形成されている。
【００５２】
上記の構成からなる空気調和機１５１における作用について説明する。
空気調和機１５１の冷房運転および暖房運転における作用、室内機ユニット１５３内における室内空気の流れは、第１の実施形態と同様であるので、その説明を省略する。
【００５３】
室内機ユニット１５３におけるエアフィルタ３１の清掃における作用について説明する。
エアフィルタ３１にゴミが付着すると、図１０に示すように、駆動スクリュウ４５が駆動モータ４７により回転駆動される。駆動スクリュウ４５の回転は、割ナット１９３の駆動スクリュウ４５に沿った方向への移動に変換される。割ナット１９３の移動は、突起部１８９と凹部１９５との嵌め合わせを介してダストボックス１８７に伝達される。ダストボックス１８７はブラシ部とともに移動することにより、エアフィルタ３１に付着したゴミを掻き落とし、掻き落とされたゴミはダストボックス１８７に捕集される。
【００５４】
ダストボックス１８７内に所定量のゴミが捕集されると、ダストボックス１８７内のゴミの除去が行われる。ダストボックス１８７が下方へ吊下げられると、ダストボックス１８７と割ナット１９３とは切り離され、駆動部１９１は室内機ユニット１５３に取り残される。
また、ダストボックス１８７が吊り上げられると、再び突起部１８９と凹部１９５とが嵌め合わされる。この際に、突起部１８９と凹部１９５との相対位置がずれていても、突起部１８９の傾斜面によりガイドされ、ダストボックス１８７と割ナット１９３との相対位置のずれは解消される。
【００５５】
上記の構成によれば、ダストボックス１８７と駆動部１９１の割ナット１９３とは、突起部１８９と凹部１９５とにより嵌め合わされている。そのため、ダストボックス１８７の昇降により、ダストボックス１８７と駆動部１９１とを容易に切り離しできるとともに、嵌め合わせすることができる。
駆動部１９１は、ダストボックス１８７の昇降の際に、室内機ユニット１５３に残るため、ダストボックス１８７等を昇降させる昇降部５７に係る負荷を軽減させることができる。
【００５６】
〔第４の実施形態〕
次に、本発明の第４の実施形態について図１１を参照して説明する。
本実施形態の空気調和機の基本構成は、第１の実施形態と同様であるが、第１の実施形態とは、ダストボックスと駆動部との嵌め合わせの構成が異なっている。よって、本実施形態においては、図１１を用いてダストボックスと駆動部との嵌め合わせの構成を説明し、その他の構成要素等の説明を省略する。
図１１は、本実施形態に係る室内機ユニットにおけるダストボックスと駆動部との嵌め合わせの構成を説明する図である。
なお、第１の実施形態と同一の構成要素には、同一の符号を付してその説明を省略する。
【００５７】
空気調和機２０１の室内機ユニット２０３には、図１１に示すように、エアフィルタ３１に付着したゴミを取り除くブラシ部（図示せず）が内部に配置されたダストボックス（捕集部）２３７と、ダストボックス２３７をエアフィルタ３１に沿って駆動する駆動部２４１とが設けられている。
【００５８】
駆動部２４１は、ダストボックス２３７を駆動する駆動スクリュウ２４５と、駆動スクリュウ２４５を回転駆動する駆動モータ４７と、から概略構成されている。駆動スクリュウ２４５には、螺旋状の突起であるギア２４７が設けられている。
ダストボックス２３７には、駆動スクリュウ２４５のギア２４７と噛み合わされる雌ネジ部２３９が形成されている。
【００５９】
上記の構成からなる空気調和機２０１における作用について説明する。
空気調和機２０１の冷房運転および暖房運転における作用、室内機ユニット２０３内における室内空気の流れは、第１の実施形態と同様であるので、その説明を省略する。
【００６０】
室内機ユニット２０３におけるエアフィルタ３１の清掃における作用について説明する。
エアフィルタ３１にゴミが付着すると、図１１に示すように、駆動スクリュウ２４５が駆動モータ４７により回転駆動される。駆動スクリュウ２４５の回転は、ギア２４７と雌ネジ部２３９との噛み合わせにより駆動スクリュウ２４５に沿った方向への移動に変換される。ダストボックス２３７はブラシ部とともに移動することにより、エアフィルタ３１に付着したゴミを掻き落とし、掻き落とされたゴミはダストボックス２３７に捕集される。
【００６１】
ダストボックス２３７内に所定量のゴミが捕集されると、ダストボックス２３７内のゴミの除去が行われる。ダストボックス２３７が下方へ吊下げられると、ダストボックス２３７と駆動スクリュウ２４５とは切り離され、駆動部２４１は室内機ユニット２０３に取り残される。
また、ダストボックス２３７が吊り上げられると、再びギア２４７と雌ネジ部２３９とが噛み合わされる。この際に、ギア２４７と雌ネジ部２３９との相対位置がずれていても、ギア２４７と雌ネジ部２３９との噛み合わせに問題は発生しない。
【００６２】
上記の構成によれば、ダストボックス２３７と駆動部２４１の駆動スクリュウ２４５とは、雌ネジ部２３９とギア２４７とにより噛み合わされている。そのため、ダストボックス２３７の昇降により、ダストボックス２３７と駆動部２４１とを容易に切り離しできるとともに、噛み合わせすることができる。
駆動部２４１は、ダストボックス２３７の昇降の際に、室内機ユニット２０３に残るため、ダストボックス２３７等を昇降させる昇降部５７に係る負荷を軽減させることができる。
【００６３】
〔第５の実施形態〕
次に、本発明の第５の実施形態について図１２を参照して説明する。
本実施形態の空気調和機の基本構成は、第１の実施形態と同様であるが、第１の実施形態とは、ダストボックスおよび駆動部の構成が異なっている。よって、本実施形態においては、図１２を用いてダストボックスおよび駆動部の構成を説明し、その他の構成要素等の説明を省略する。
図１２は、本実施形態に係る室内機ユニットにおけるダストボックスおよび駆動部の構成を説明する図である。
なお、第１の実施形態と同一の構成要素には、同一の符号を付してその説明を省略する。
【００６４】
空気調和機２５１の室内機ユニット２５３には、図１２に示すように、エアフィルタ３１に付着したゴミを取り除くブラシ部（図示せず）が内部に配置されたダストボックス（捕集部）２８７と、ダストボックス２８７をエアフィルタ３１に沿って駆動する駆動部２９１とが設けられている。
【００６５】
駆動部２９１は、レール２９３と、レール２９３に沿って往復移動する移動部２９５と、移動部２９５から室内機ユニット２５３に向かって延びる配線部２９７とから概略構成されている。配線部２９７は、一端は移動部２９５に対して固定されているとともに、他端は室内機ユニット２５３に対してマグネット２９９の吸引力により吸着されている。
駆動部２９１は、その全体が吸込みグリル１９の上に配置され、吸込みグリル１９とともに吊り上げ、吊下げられる。
ダストボックス２８７は、ブラシ部とともに移動部２９５も内部に含むように形成されている。
【００６６】
上記の構成からなる空気調和機２５１における作用について説明する。
空気調和機２５１の冷房運転および暖房運転における作用、室内機ユニット２５３内における室内空気の流れは、第１の実施形態と同様であるので、その説明を省略する。
【００６７】
室内機ユニット２５３におけるエアフィルタ３１の清掃における作用について説明する。
エアフィルタ３１にゴミが付着すると、図１２に示すように、移動部２９５は、レール２９３に沿った方向へ移動する。移動部２９５の移動により、ダストボックス２８７はブラシ部とともに移動し、エアフィルタ３１に付着したゴミを掻き落とす。掻き落とされたゴミはダストボックス２８７に捕集される。
【００６８】
ダストボックス２８７内に所定量のゴミが捕集されると、ダストボックス２８７内のゴミの除去が行われる。
吸込みグリル１９が下方へ吊下げられると、吸込みグリル１９に配置された駆動部２９１も共に下方へ移動する。駆動部２９１の配線部２９７は、室内機ユニット２５３とマグネット２９９の吸引力により付着しているだけなので、牽引されることより容易に室内機ユニット２５３から切り離される。
また、吸込みグリル１９が吊り上げられると、配線部２９７は室内機ユニット１９に接近することにより、マグネット２９９の吸引力が働き、所定の接続場所へ導かれ、室内機ユニット２５３と吸着する。
【００６９】
上記の構成によれば、室内機ユニット２５３と駆動部２９１とは、配線部２９７のマグネット２９９により吸着されている。そのため、駆動部２９１の昇降の際に、配線部２９７のマグネット２９９において室内機ユニット２５３と駆動部２９１とを容易に切り離しできるとともに、接続させることができる。
駆動部２９１はダストボックス２８７とともに昇降するため、ダストボックス２８７と駆動部２９１との噛み合わせがずれる恐れがなく、ダストボックス２８７を確実に駆動することができる。
【００７０】
〔第６の実施形態〕
次に、本発明の第６の実施形態について図１３を参照して説明する。
本実施形態の空気調和機の基本構成は、第１の実施形態と同様であるが、第１の実施形態とは、ダストボックスにおける検出部の構成が異なっている。よって、本実施形態においては、図１３を用いてダストボックスにおける検出部の構成を説明し、その他の構成要素等の説明を省略する。
図１３は、本実施形態に係る室内機ユニットにおけるダストボックスおよび検出部の構成を説明する図である。
なお、第１の実施形態と同一の構成要素には、同一の符号を付してその説明を省略する。
【００７１】
空気調和機３０１の室内機ユニット３０３には、図１３に示すように、エアフィルタ３１に付着したゴミを取り除くブラシ部（図示せず）が内部に配置されたダストボックス（捕集部）３３７と、ダストボックス３３７に蓄積したゴミの量を検出する検出部３３９と、が設けられている。
ダストボックス３３７には、一方の端部に開口部の一部を覆う蓋３４１が設けられ、蓋３４１の下面にはゴミの量を検出する検出部３３９が配置されている。検出部３３９としては、ゴミと接触することによりゴミの量を検知するタッチセンサなどが例示できる。
【００７２】
上記の構成からなる空気調和機３０１における作用について説明する。
空気調和機３０１の冷房運転および暖房運転における作用、室内機ユニット３０３内における室内空気の流れは、第１の実施形態と同様であるので、その説明を省略する。
【００７３】
室内機ユニット３０３におけるエアフィルタ３１の清掃における作用について説明する。
ダストボックス３３７内にゴミが捕集されると、ゴミはダストボックス３３７内に積み上げられる。積み上げられたゴミは、蓋３４１の下面に配置された検出部３３９と接触する。検出部３３９はゴミの検出信号を出力する。
作業者は、この検出信号に基づいてダストボックス３３７内に溜まったゴミを取り除く。
【００７４】
上記の構成によれば、ダストボックス３３７の蓋３４１の下面に検出部３３９を配置することにより、検出部３３９がダストボックス３３７内に捕集されたゴミの量を直接検出できる。そのため、ダストボックス３３７内のゴミの量を確実に検出できる。
【００７５】
〔第７の実施形態〕
次に、本発明の第７の実施形態について図１４を参照して説明する。
本実施形態の空気調和機の基本構成は、第１の実施形態と同様であるが、第１の実施形態とは、ダストボックスにおける検出部の構成が異なっている。よって、本実施形態においては、図１４を用いてダストボックスにおける検出部の構成を説明し、その他の構成要素等の説明を省略する。
図１４は、本実施形態に係る室内機ユニットにおけるダストボックスおよび検出部の構成を説明する図である。
なお、第１の実施形態と同一の構成要素には、同一の符号を付してその説明を省略する。
【００７６】
空気調和機３５１の室内機ユニット３５３には、図１４に示すように、エアフィルタ３１に付着したゴミを取り除くブラシ部（図示せず）が内部に配置されたダストボックス（捕集部）３８７と、ダストボックス３８７に蓄積したゴミの量を検出する検出部３８９と、が設けられている。
【００７７】
ダストボックス３８７には、側面に蛇腹状の伸縮部３９１が形成され、伸縮部３９１が縮んだ状態で保持する保持部材３９３が配置されている。なお、保持部材３９３としては、粘着テープなどを例示することができる。
検出部３８９は、ダストボックス３８７の下方に所定間隔を空けて配置され、ダストボックス３８７の底面の降下を検出できるように構成されている。なお、検出部３８９としては、ダストボックス３８７の底面との接触を検出できるタッチセンサなどを例示することができる。
【００７８】
上記の構成からなる空気調和機３５１における作用について説明する。
空気調和機３５１の冷房運転および暖房運転における作用、室内機ユニット３５３内における室内空気の流れは、第１の実施形態と同様であるので、その説明を省略する。
【００７９】
室内機ユニット３５３におけるエアフィルタ３１の清掃における作用について説明する。
ダストボックス３８７内にゴミが捕集されると、ダストボックス３８７の底面を下方に押し下げる力が働く。ゴミがダストボックス３８７内に所定量溜められると、保持部材３９３が外れて伸縮部３９１が伸びることにより、ダストボックス３８７の底面は下方に下がる。
ダストボックス３８７の底面が降下すると、検出部３８９と底面とが接触し、検出部３８９から検出信号が出力される。
作業者は、この検出信号に基づいてダストボックス３３７内に溜まったゴミを取り除く。
【００８０】
上記の構成によれば、検出部３８９は、ダストボックス３８７内に捕集されたゴミにより下方に下がるダストボックス３８７の底面を検出するため、ゴミを直接検出する場合と比較して、ゴミの量を確実に検出することができる。
【００８１】
〔第８の実施形態〕
次に、本発明の第８の実施形態について図１５から図１８を参照して説明する。
本実施形態の空気調和機の基本構成は、第１の実施形態と同様であるが、第１の実施形態とは、吸込みグリルおよびダストボックス周辺の構成が異なっている。よって、本実施形態においては、図１５から図１８を用いて吸込みグリルおよびダストボックス周辺の構成を説明し、その他の構成要素等の説明を省略する。
図１５は、本実施形態に係る室内機ユニットの構成を説明する断面図である。
なお、第１の実施形態と同様の構成要素には、同一の符号を付してその説明を省略する。
【００８２】
空気調和機４０１の室内機ユニット４０３は、図１５に示すように、下部に天面パネル１４を有し、天井に埋め込み設置される筐体１５と、天面パネル１４の空気吸入部１６に設けられ、室内空気を吸込むエアフィルタ４３１と、室内空気を吸込み送り出す室内ファン２１と、室内空気と冷媒との間で熱交換を行なう室内熱交換器２３と、から概略構成されている。
【００８３】
筐体１５内部の上面における略中央には、室内ファン２１を駆動するファンモータ２５が配置され、室内ファン２１およびファンモータ２５の周囲には、室内熱交換器２３が配置されている。室内ファン２１の下方には、室内ファン２１に流入する室内空気の流れを整えるベルマウス２７が配置され、ベルマウス２７の下方には、エアフィルタ４３１が配置されている。天面パネル１４に設けられたエアフィルタ４３１の周囲には、室内ファン２１から室内熱交換器２３を通過した室内空気が、筐体１５から流出する吹出口２９が形成されている。
【００８４】
図１６は、図１５の室内機ユニットにおける昇降部、エアフィルタおよびダストボックスの構成を説明する部分斜視図である。
エアフィルタ４３１は、図１５および図１６に示すように、室内空気の塵埃などのゴミを捕集するフィルタ面４３３ａと、フィルタ面４３３ａを保持する枠部４３３ｂとから構成されている。
エアフィルタ４３１の下面には、フィルタ面４３３ａに付着したゴミを取り除くブラシ部３５と、ブラシ部３５を下方から覆うダストボックス（捕集部）４３７とが配置されている。
【００８５】
図１７は、図１６のダストボックスおよびブラシ部の構成を説明する斜視図である。
ブラシ部３５は、図１７に示すように、上向きに延びるブラシとブラシを固定する本体とから構成されている。ダストボックス４３７は、図１６および図１７に示すように、ブラシ部３５を覆う箱状に形成され、その両端には、エアフィルタ４３１の枠部４３３ｂに掛けられる保持部４３９が形成されている。一方の保持部４３９の上面には、後述する駆動スクリュウと噛み合う雌ネジ部４３９ａが形成されている。
【００８６】
室内機ユニット４０３とエアフィルタ４３１との間には、図１６に示すように、エアフィルタ４３１およびダストボックス４３７を昇降させる昇降部４５７が配置されている。
昇降部４５７は、筐体１５に配置された昇降モータ５９と、エアフィルタ４３１の枠部４３３ｂに配置されたプーリ６１と、プーリ６１を介して両端が昇降モータ５９と筐体１５に固定されたワイヤ６３と、から概略構成されている。
昇降モータ５９には、ワイヤ６３を巻き取り・巻き戻しするスプロール６５が配置されている。プーリ６１は、ワイヤ６３を移動可能に支持するものであり、枠部４３３ｂの四隅に配置されている。
【００８７】
図１８は、図１５の室内機ユニットにおける駆動部を説明する部分断面視図である。
筐体１５におけるエアフィルタ４３１と吹出口２９との間には、図１４および図１８に示すように、ブラシ部３５およびダストボックス４３７を駆動する駆動部４４１が配置されている。駆動部４４１は、ダストボックス４３７を駆動する駆動スクリュウ４４５と、駆動スクリュウ４４５を右回りおよび左回りに回転駆動する駆動モータ４４７と、から概略構成されている。
駆動スクリュウ４４５には、上述の雌ネジ部４３９ａと噛み合わされるギア４４５ａが形成されている。
【００８８】
上記の構成からなる空気調和機４０１における作用について説明する。
空気調和機４０１の冷房運転および暖房運転における作用、室内機ユニット４０３内における室内空気の流れは、第１の実施形態と同様であるので、その説明を省略する。
【００８９】
室内機ユニット４０３におけるエアフィルタ４３１の清掃における作用について説明する。
エアフィルタ４３１にゴミが付着すると、図１８に示すように、駆動スクリュウ４４５が駆動モータ４７により回転駆動される。駆動スクリュウ４４５の回転は、ギア４４５ａと雌ネジ部４３９ａとの噛み合わせにより駆動スクリュウ４４５に沿った方向への移動に変換される。
ギア４４５ａと雌ネジ部４３９ａとの噛み合わせにより、ダストボックス４３７はブラシ部３５とともに移動し、エアフィルタ４３１に付着したゴミを掻き落とす。掻き落とされたゴミはダストボックス４３７に捕集される。
【００９０】
ダストボックス４３７内に所定量のゴミが捕集されると、ダストボックス４３７内のゴミの除去が行われる。
まず、図１６に示すように、昇降モータ５９が回転制御され、スプロール６５に巻き取られていたワイヤ６３を繰り出す。ワイヤ６３が繰り出されると、プーリ６１が回転し、エアフィルタ４３１は姿勢を略水平に保ったまま筐体１５から吊下ろされる。なお、この時、エアフィルタ４３１に配置された、ブラシ部３５およびダストボックス４３７などもエアフィルタ４３１とともに吊下ろされる。
ダストボックス４３７と駆動スクリュウ４４５とは、図１８に示すように、噛み合わされているだけなので、ダストボックス４３７が下方に移動することにより、噛み合わせは解除される。
【００９１】
図１６に示すように、エアフィルタ４３１などが床面近くまで降りてきたら、作業者はダストボックス４３７からゴミを取り除く。また、必要がある場合には、エアフィルタ４３１に残留するゴミを直接取り除いてもよい。
作業が終了したら、昇降モータ５９を駆動することにより、ワイヤ６３をスプロール６５に巻き取る。ワイヤ６３が巻き取られると、エアフィルタ４３１は姿勢を略水平に保ったまま上方へ移動し、筐体１５に収納される。
また、ダストボックス４３７が吊り上げられた際に、再びギア４４５ａと雌ネジ部４３９ａとが噛み合わされるが、ギア４４５ａと雌ネジ部４３９ａとの相対位置がずれていても、ギア４４５ａと雌ネジ部４３９ａとの噛み合わせに問題は発生しない。
【００９２】
上記の構成によれば、昇降部４４１は、エアフィルタ４３１とダストボックス４３７とブラシ部３５のみを昇降させるため、吸込みグリル１９（図４参照）も昇降させる第１の実施形態と比較して、昇降部４４１に係る負荷を軽減することができる。
【００９３】
〔第９の実施形態〕
次に、本発明の第９の実施形態について図１９および図２０を参照して説明する。
本実施形態の空気調和機の基本構成は、第１の実施形態と同様であるが、第１の実施形態とは、吸込みグリルおよびダストボックス周辺の構成が異なっている。よって、本実施形態においては、図１９および図２０を用いて吸込みグリルおよびダストボックス周辺の構成を説明し、その他の構成要素等の説明を省略する。
図１９は、本実施形態に係る室内機ユニットの構成を説明する断面図である。
なお、第１の実施形態と同様の構成要素には、同一の符号を付してその説明を省略する。
【００９４】
空気調和機５０１の室内機ユニット５０３は、図１９に示すように、下部に天面パネル１４を有し、天井に埋め込み設置される筐体１５と、天面パネル１４の空気吸入部１６に設けられ、室内空気を吸込むエアフィルタ５３１と、室内空気を吸込み送り出す室内ファン２１と、室内空気と冷媒との間で熱交換を行なう室内熱交換器２３と、から概略構成されている。
【００９５】
筐体１５内部の上面における略中央には、室内ファン２１を駆動するファンモータ２５が配置され、室内ファン２１およびファンモータ２５の周囲には、室内熱交換器２３が配置されている。室内ファン２１の下方には、室内ファン２１に流入する室内空気の流れを整えるベルマウス２７が配置され、ベルマウス２７の下方には、エアフィルタ５３１が配置されている。天面パネル１４に設けられたエアフィルタ５３１の周囲には、室内ファン２１から室内熱交換器２３を通過した室内空気が、筐体１５から流出する吹出口２９が形成されている。
【００９６】
図２０は、図１９の室内機ユニットにおける昇降部、エアフィルタおよびダストボックスの構成を説明する部分斜視図である。
エアフィルタ５３１は、図１９および図２０に示すように、室内空気のゴミを捕集するフィルタ面４３３ａと、フィルタ面４３３ａを保持する枠部５３３ａと、枠部５３３ａから分離する分離部５３３ｂと、から構成されている。
エアフィルタ５３１の下面には、フィルタ面４３３ａに付着したゴミを取り除くブラシ部３５と、ブラシ部３５を下方から覆うダストボックス４３７とが配置されている。
【００９７】
室内機ユニット５０３とエアフィルタ５３１との間には、図２０に示すように、ダストボックス４３７を昇降させる昇降部５５７が配置されている。
昇降部５５７は、筐体１５に配置された昇降モータ５５９と、エアフィルタ５３１の分離部５３３ｂに配置されたプーリ５６１と、プーリ５６１を介して両端が昇降モータ５５９と筐体１５に固定されたワイヤ５６３と、から概略構成されている。
昇降モータ５５９には、ワイヤ５６３を巻き取り・巻き戻しするスプロール５６５が配置されている。プーリ５６１は、自ら回転することによりワイヤ５６３を移動可能に支持するものであり、分離部５３３ｂの両端に配置されている。
【００９８】
上記の構成からなる空気調和機５０１における作用について説明する。
空気調和機５０１の冷房運転および暖房運転における作用、室内機ユニット５０３内における室内空気の流れは、第１の実施形態と同様であるので、その説明を省略する。
また、エアフィルタ５３１に付着したゴミの取り除く際の作用は、第８の実施形態と同様であるのでその説明を省略する。
【００９９】
室内機ユニット５０３におけるエアフィルタ５３１の清掃における作用について説明する。
ダストボックス４３７内に所定量のゴミが捕集されると、ダストボックス４３７内のゴミの除去が行われる。
まず、図２０に示すように、ダストボックス４３７は、エアフィルタ５３１の分離部５３３ｂの位置にまで移動される。そして、昇降モータ５５９が回転制御され、スプロール５６５に巻き取られていたワイヤ５６３を繰り出す。ワイヤ５６３が繰り出されると、プーリ５６１が回転し、分離部５３３ｂおよびダストボックス４３７は姿勢を略水平に保ったままエアフィルタ５３１から分離され、吊下ろされる。
【０１００】
ダストボックス４３７が床面近くまで降りてきたら、作業者はダストボックス４３７からゴミを取り除く。
作業が終了したら、昇降モータ５５９を駆動することにより、ワイヤ５６３をスプロール５６５に巻き取る。ワイヤ５６３が巻き取られると、分離部５３３ｂおよびダストボックス４３７は姿勢を略水平に保ったまま上方へ移動し、エアフィルタ５３１と接続される。
【０１０１】
上記の構成によれば、昇降部５５７は、分離部５３３ｂとダストボックス４３７とブラシ部３５のみを昇降させるため、エアフィルタ４３１（図１６参照）も昇降させる第８の実施形態と比較して、昇降部５５７に係る負荷を軽減することができる。
【０１０２】
なお、本発明の技術範囲は上記実施形態に限定されるものではなく、本発明の趣旨を逸脱しない範囲において種々の変更を加えることが可能である。
例えば、上記の実施の形態においては、室内機ユニットを天井埋込型の構成に適用して説明したが、この天井埋込型の室内機ユニットに限られることなく、天井吊下型の室内機ユニット等、その他各種の天井に設置する室内機ユニットに適用することができるものである。
【０１０３】
上記の実施の形態においては、エアフィルタを固定し、捕集されたゴミを取り除くブラシ部（塵埃除去部）を移動可能に構成しているが、逆に塵埃除去部を固定し、エアフィルタ側を移動させながらゴミを除去するようにしてもよく、塵埃除去部もブラシによるものに限定されるものではない。
【０１０４】
〔第１０の実施形態〕
次に、本発明の第１０の実施形態について図２１から図３６を参照して説明する。
本実施形態の空気調和機の基本構成は、第１の実施形態と同様であるが、第１の実施形態とは、吸込みグリル周辺の構成が異なっている。よって、本実施形態においては、図２１から図３６を用いて吸込みグリルおよびダストボックス周辺の構成を説明し、その他の構成要素等の説明を省略する。
図２１は、本実施形態に係る室内機ユニットの構成を説明する断面図である。
なお、第１の実施形態と同様の構成要素には、同一の符号を付してその説明を省略する。
空気調和機６０１の室内機ユニット６０３は、図２１に示すように、下部に天面パネル１４およびスペーサ６１４を有し、天井に埋め込み設置される筐体１５と、室内空気を吸込む吸込口１７が形成された吸込みグリル１９と、室内空気を吸込み送り出す室内ファン２１と、室内空気と冷媒との間で熱交換を行なう室内熱交換器２３と、から概略構成されている。
【０１０５】
筐体１５内部の上面における略中央には、室内ファン２１を駆動するファンモータ２５が配置され、室内ファン２１およびファンモータ２５の周囲には、室内熱交換器２３が配置されている。室内ファン２１の下方（図２１中の下方）には、室内ファン２１に流入する室内空気の流れを整えるベルマウス２７が配置され、ベルマウス２７の下方には、吸込みグリル１９が配置されている。天面パネル１４に設けられた吸込みグリル１９の周囲には、室内ファン２１から室内熱交換器２３を通過した室内空気が、筐体１５から流出する吹出口２９が形成されている。
【０１０６】
図２２は、図２１の室内機ユニットにおける吸込みグリル、天面パネルおよびスペーサの構成を説明する部分斜視図である。
吸込みグリル１９には、図２２に示すように、吸入される空気に含まれる塵埃等を除去するエアフィルタ６３１と、エアフィルタ６３１を清掃する清掃部６３３とが備えられている。エアフィルタ６３１は、吸込みグリル１９の略中央領域に配置されている。吸込みグリル１９の縁領域である枠部の四隅には、吸込みグリル１９を昇降させるワイヤ６３が配置されている。天面パネル１４上には所定の厚さ寸法を有するスペーサ６１４が配置され、該スペーサ６１４によって形成される空間には、清掃部６３３を駆動するための後述する回転駆動力を発生する駆動モータ６３５と、回転駆動力を往復駆動力に変換する往復動部６３７と、往復駆動力が伝達される上部伝達部６３９と、が天面パネル１４上に設置されたフレーム（筐体）６４１に保持されて配置されている。
【０１０７】
図２３は、図２２のスペーサ６１４および天面パネル１４上に設置されたフレーム（筐体）６４１の構成を説明する分解斜視図である。
スペーサ６１４は、図２３に示すように、矩形状の枠体から構成され、枠体内の空間には、駆動モータ６３５や往復動部６３７を保持するフレーム（筐体）６４１が配置されている。なお、スペーサ６１４の枠体の中央に形成された貫通孔は、室内機ユニット６０３に流入する空気の流路であり、周囲に形成された４つの貫通孔は、室内機ユニット６０３から流出する空気の流路である。
天面パネル１４上に設置されるフレーム６４１には、駆動モータ６３５や往復動部６３７などを支持する支持部６４３が設けられている。支持部６４３は、フレーム６４１における対向する一対の辺であって、略中央部に設けられている。支持部６４３は、フレーム６４１の内周面から内側に向かって突出する凸状の部材であり、駆動モータ６３５と、往復動部６３７とを支持するものである。駆動モータ６３５は、フレーム６４１と支持部６４３との間に配置され、往復動部６３７は、一対の支持部６４３の間に配置されている。
なお、上述のように、フレーム６４１に支持部６４３を設けて、支持部６４３により駆動モータ６３５や往復動部６３７などを支持してもよいし、支持部６４３を設けることなく、フレーム６４１が直接駆動モータ６３５や往復動部６３７などを支持するように構成してもよく、特に限定するものではない。
【０１０８】
往復動部６３７は、図２３に示すように、駆動モータ６３５により回転駆動される駆動用シャフト６４５と、駆動用シャフト６４５により回転駆動されるウォームギア６４７と、ウォームギア６４７と係合される駆動用ラックギア６４９と、を備えている。
駆動用シャフト６４５は、断面が六角形などの多角形に形成された柱状部材であり、一対の支持部６４３の間に回転可能に支持されている。
ウォームギア６４７は、駆動用シャフト６４５により回転駆動されるとともに、駆動用シャフト６４５の長手方向に移動可能に配置されている。つまり、ウォームギア６４７には、駆動用シャフト６４５の断面形状と同一形状の貫通孔が形成され、その貫通孔に駆動用シャフト６４５が挿通されている。そのため、駆動用シャフト６４５の回転駆動力がウォームギア６４７に伝達されるとともに、駆動用シャフト６４５の長手方向にウォームギア６４７が移動可能となる。ウォームギア６４７には、ギアが形成された領域の両端に円筒部６５１が形成されている。円筒部６５１は、その外周面が後述する上部伝達部６３９と接触し、ウォームギア６４７が駆動用ラックギア６４９から離れることを防止している。
駆動用ラックギア６４９は、回転駆動されるウォームギア６４７と係合することにより、ウォームギア６４７が往復移動する駆動力を発生させるものである。駆動用ラックギア６４９は、一対の支持部の間に固定配置されている。駆動用ラックギア６４９は、断面が略Ｈ状に形成され、その中央にウォームギア６４７と係合されるラックギアが形成されている。なお、駆動用ラックギア６４９の断面形状は、上述のように略Ｈ状に形成されていてもよいし、その他の形状であってもよく、特に限定するものではない。
【０１０９】
図２４は、図２３の上部伝達部の構成を説明する部分断面図である。
上部伝達部６３９は、図２３に示すように、ウォームギア６４７から往復駆動力が伝達される駆動力伝達部６５３と、駆動力伝達部６５３との間で駆動用ラックギア６４９を挟み込む規制部６５５と（図２４参照）、駆動力伝達部６５３と規制部６５５とを結合させるネジ６５７と、を備えている。
【０１１０】
図２５は、図２３の上部伝達部とウォームギアと組み合わせを説明する部分斜視図である。
駆動力伝達部６５３は、ウォームギア６４７から往復駆動力が伝達される天板６５９と、後述する下部伝達部６７５に往復駆動力を伝達する側板６６１とを備えている。
天板６５９には、矩形状に形成された貫通孔６６３と、貫通孔６６３に隣接して形成された略半円状部である接触部６６５と、ネジ６５７が取り付けられる一対のネジ孔６６７が形成されている。貫通孔６６３には、図２５に示すように、上部伝達部６３９と往復動部６３７とが組み合わされた際に、ウォームギア６４７のギア部が配置される。接触部６６５は、図２４に示すように、ウォームギア６４７の円筒部６５１と接触するように配置されている。
側板６６１の下方端部には、図２３に示すように、後述する下部伝達部６７５と係合される上部係合部６６９が形成されている。上部係合部６６９には、下部伝達部６７５を挟み、往復駆動力を下部伝達部６７５に伝達する上部凹部６７１と、側板６６１から外側に延び、上部伝達部６３９および下部伝達部６７５の間の相対姿勢を規定する押さえ板６７３と、が設けられている。
【０１１１】
規制部６５５は、図２４に示すように、凹状に折り曲げられた部材であり、その内部に駆動用ラックギア６４９が配置されるように、駆動力伝達部６５３に取り付けられる。規制部６５５の駆動力伝達部６５３への取付けには、ネジ６５７が用いられる。
【０１１２】
図２６は、図２２の吸込みグリル１９上に設けられるエアフィルタおよび清掃部の構成を説明する部分分解斜視図である。
吸込みグリル１９上には、図２６に示すように、吸入される空気に含まれる塵埃等を除去するエアフィルタ６３１と、エアフィルタ６３１を清掃する清掃部６３３と、清掃部６３３に往復駆動力を伝達する下部伝達部６７５と、が矩形状の枠体をなす台座６１９を介して設置されている。
【０１１３】
図２７は、図２６の台座の構成を説明する平面図である。図２８は、図２７の回転用ラックギアの形状を説明するＡ−Ａ断面視図である。図２９は、図２７の台座および清掃部の組み合わせを説明するＢ−Ｂ断面視図である。
吸込みグリル１９上に設置される台座６１９は、エアフィルタ６３１および清掃部６３３を支持する枠体である。台座６１９には、図２７に示すように、略中央にエアフィルタ６３１が配置される矩形状の貫通孔が形成され、後述する回転ブラシ６８５に回転駆動力を発生させる回転用ラックギア６７７と、清掃部６３３を支持するガイド部６７９と、が形成されている。ガイド部６７９および回転用ラックギア６７７は、上記貫通孔の対向する辺に沿って延びるように形成されている。
回転用ラックギア６７７は、図２８に示すように、台座６１９の面に沿って延びるラックギアであり、図２９に示すように、後述する回転ブラシ６８５のピニオンギア６９３と係合されるものである。
ガイド部６７９は、図２９に示すように、後述するダストボックス６８７のコロ７０３の案内溝７０７と係合する凸部である案内部６８１と、コロ７０３を支持する支持面６８３とを備えている。
【０１１４】
エアフィルタ６３１は、図２６に示すように、台座６１９の略中央に配置されている。また、エアフィルタ６３１の上面側（図２６の上面側）には、下部伝達部６７５が配置され、下面側（図２６の下面側）には、清掃部６３３が配置されている。
【０１１５】
清掃部６３３は、図２６に示すように、エアフィルタ６３１に捕集された塵埃などを除去する回転ブラシ（塵埃除去部）６８５と、回転ブラシ６８５により除去された塵埃などを一時的に貯留するダストボックス（捕集部）６８７と、を備えている。
回転ブラシ６８５は、図２９に示すように、回転駆動されるとともにエアフィルタ６３１の面に沿って駆動される回転軸６８９と、エアフィルタ６３１に捕集された塵埃などを掃き取るブラシ部６９１と、回転軸６８９を回転駆動させるピニオンギア６９３と、ダストボックス６８７と接触する摺動部６９５とを備えている。
回転軸６８９には、図２６に示すように、その両端にピニオンギア６９３が配置され、ピニオンギア６９３の内側に隣接して摺動部６９５が配置されている。両摺動部６９５の間の回転軸６８９には、ブラシ部６９１が半径方向外側に向かって延びるように設けられている。本実施形態においては、ブラシ部６９１は、４つのブラシ部６９１の列が回転軸６８９の中心軸線に沿って延びるとともに、回転軸６８９の円周周りに等間隔に配置されるように形成されている。
なお、このブラシ部６９１の列の構成は、上述のように上記中心軸線に沿って延びるように形成されていてもよいし、回転軸６８９周りに螺旋状に延びる様に形成されていてもよく、特に限定するものではない。また、ブラシ部６９１の列の数についても、４つであってもよいし、それよりも多くても良いし、少なくてもよく、特に限定するものではない。
ピニオンギア６９３は回転用ラックギア６７７と係合され、回転ブラシ６８５がエアフィルタ６３１の面に沿って移動されることにより、回転軸６８９を回転させる回転駆動力を発生するものである。
摺動部６９５は、ダストボックス６８７と接触することにより、ダストボックス６８７に伝達された往復駆動力を回転ブラシ６８５に伝達するものである。摺動部６９５には、ダストボックス６８７がはめ込まれる凹部が形成されている。その凹部とダストボックス６８７とが嵌め合わされることにより、回転ブラシ６８５とダストボックス６８７との相対位置関係が規定されている。摺動部６９５を構成する部材としては、摺動性を考慮してダストボックス６８７を構成する部材とは異なる部材であることが好ましい。例えば、ダストボックス６８７がＡＢＳ樹脂（アクリロニトリル・ブタジエン・スチレン樹脂）で形成されている場合には、摺動部６９５はジュラコン樹脂（ポリアセタール）で形成されていることが好ましい。
【０１１６】
図３０は、図２６に示す清掃部の回転ブラシおよび捕集部の構成を説明する断面図である。
ダストボックス６８７は、図２６に示すように、下部伝達部６７５から往復駆動力が伝達される本体６９７と、塵埃などを一時的に貯留する貯留部６９９と、を備えている。本体６９７と貯留部６９９とは、その間に回転ブラシ６８５を回転可能に保持するように構成されている。
本体６９７は、図２９に示すように、下部伝達部６７５と係合されるブラケット７０１と、本体６９７を往復移動可能に支持するコロ７０３と、図３０に示すように、ブラシ部６９１から塵埃などをすき取るすき歯７０５と、を備えている。
【０１１７】
本体６９７は、図２６に示すように、中央に貫通孔が形成された枠体状に形成されているとともに、図２９に示すように、長手方向の両端部に回転ブラシ６８５のピニオンギア６９３が配置される凹部が形成されている。
ブラケット７０１は、上記凹部が形成された両端部に、長手方向へ延びるように配置されている。ブラケット７０１の先端部は、エアフィルタ６３１の縁部よりも外側に延びている。ブラケット７０１の先端部は、エアフィルタ６３１の縁部よりも外側の領域で下部伝達部６７５と係合されている。
コロ７０３は、上記凹部が形成された両端部の外面に、回転可能に配置されている。コロ７０３は円柱状に形成され、その円柱面には、ガイド部６７９の案内部６８１と嵌め合わされる案内溝７０７が形成されている。
【０１１８】
すき歯７０５は、図３０に示すように、本体６９７における上記貫通孔の内面に、内側に向かって延びるように配置されているとともに、本体６９７の長手方向（図３０における紙面に対して垂直方向）に等間隔に隙間をあけて並んで配置されている。回転ブラシ６８５のブラシ部６９１はすき歯７０５の隙間を通り、ブラシ部６９１に付着した塵埃などがすき取られる。すき歯７０５のエアフィルタ６３１に対向する縁部（図３０における上側の縁部）は、回転ブラシ６８５に向かってエアフィルタ６３１から離れる方向に傾斜している。塵埃などは、すき歯７０５の上記縁部の傾斜により中央部に寄せられ、貯留部６９９に送り込まれる。
【０１１９】
図３１は、図３０のすき歯の別の構成を説明する断面図である。
なお、図３０に示すように、すき歯７０５は平面視したときの形状が略三角状の板から形成されていても良いし、図３１に示すように、平面視したときの形状が略棒状の板から形成されていてもよく、特に限定するものではない。このように、すき歯７０５を図３１に示す形状で構成することにより、ブラシ部６９１がすき歯７０５の間を通過するときの抵抗を低減することができる。
【０１２０】
貯留部６９９は、図２６に示すように、回転ブラシ６８５を下方から覆う形状に形成され、図３０に示すように、本体６９７と係合される。貯留部６９９と本体６９７と回転ブラシ６８５とから形成される空間には、回転ブラシ６８５がエアフィルタ６３１から除去した塵埃などが一時的に貯留される。
【０１２１】
下部伝達部６７５は、図２６に示すように、略棒状に形成された部材であって、その長手方向における両端部に清掃部６３３のブラケット７０１を把持する把持部７０９が設けられている。
下部伝達部６７５の略中央部には、上部伝達部６３９の上部係合部６６９と係合される下部係合部７１１が形成されている。下部係合部７１１は、下部伝達部６７５における他の部分と比較して、棒状の部材の幅が狭く形成され、この部分が上部係合部６６９の上部凹部６７１と係合される。把持部７０９は、図２９に示すように、その先端に清掃部６３３と係合されブラケット７０１を把持する下部凹部７１３が形成されている。
【０１２２】
図３２は、図２２の吸込みグリル上の台座に設けられた塵埃量検知部の構成を説明する平面図である。図３３は、図３２の塵埃量検知部の構成を説明する断面視図である。
塵埃量検知部７１５は、図３２に示すように、清掃部６３３の開口部を閉じる蓋部７１７と、空気を吸引するファン７１９と、ファン７１９に吸引された空気の流量を検知する流量センサ７２１と、を備えている。
蓋部７１７は、図３２に示すように、エアフィルタ６３１における清掃部６３３の移動方向（図３２における上下方向）に対する端部の外側に対向して配置されているとともに、図３３に示すように、エアフィルタ６３１と略同一面上に配置されている。
ファン７１９および流量センサ７２１は、蓋部７１７の上面（図３３の上側の面）に配置されている。ファン７１９は回転することにより、蓋部７１７に形成された貫通孔である流路（図示せず）から清掃部６３３内の空気を吸い出すように形成されている。流量センサ７２１は、ファン７１９により清掃部６３３から吸い出される空気の流量を検知している。
なお、清掃部６３３には、貯留部６９９などに小径の貫通孔などが形成され、外部から空気が流入するように形成されている。
【０１２３】
次に、上記の構成からなる空気調和機６０１における作用について説明する。
空気調和機６０１における冷房運転および暖房運転時の作用、並びに室内機ユニット６０３内における室内空気の流れについては第１の実施形態と同様であるのでその説明を省略する。
【０１２４】
次に、本実施形態の特徴であるエアフィルタの清掃における作用について説明する。
上述のように、室内機ユニット６０３の運転によりエアフィルタ６３１に付着したゴミは、清掃部６３３をエアフィルタ６３１の面に沿って往復動させることにより取り除かれる。
具体的には、駆動モータ６３５の回転駆動力が、図２３に示すように、駆動用シャフト６４５に伝達され、ウォームギア６４７が回転駆動される。駆動用ラックギア６４９と係合されたウォームギア６４７は、回転駆動されることにより駆動用シャフトに沿って往復駆動される。ウォームギア６４７の駆動方向は、駆動モータ６３５の回転方向により制御される。ウォームギア６４７の往復動は上部伝達部６３９に伝達され、上部伝達部６３９は、ウォームギア６４７とともに往復動される。
ウォームギア６４７の円筒部６５１は、上部伝達部６３９の接触部６６５と接触しており、ウォームギア６４７が駆動用ラックギア６４９から所定間隔以上に離れることがない。上部伝達部６３９と規制部６５５との間には、駆動用ラックギア６４９が配置されているため、上部伝達部６３９が駆動用ラックギア６４９から所定間隔以上に離れることがない。
【０１２５】
上部伝達部６３９に伝達された往復動は、図２５に示すように、上部伝達部６３９から下部伝達部へ伝達される。上部伝達部６３９の押さえ板６７３が下部伝達部６７５の上面と接触しているため、上部伝達部６３９と下部伝達部６７５との相対位置関係は、往復動が伝達されている間においても変化しない。
【０１２６】
下部伝達部６７５に伝達された往復動は、図２９に示すように、把持部７０９からエアフィルタ６３１の下面側に配置された清掃部６３３のブラケット７０１へ伝達される。ブラケット７０１に伝達された往復動はダストボックス６８７から回転ブラシ６８５へ伝達される。
回転ブラシ６８５は、エアフィルタ６３１の下面側を往復動するとともに、ピニオンギア６９３と回転用ラックギア６７７との係合により回転駆動される。回転ブラシ６８５の往復動および回転により、回転ブラシ６８５のブラシ部６９１は、エアフィルタ６３１における空気吸入側の面の全面を掃き、エアフィルタ６３１に捕集された塵埃などを取り除く。
なお、回転ブラシ６８５の往復動の速度と、ブラシ部６９１の先端部の回転速度と、の間には所定の速度差が設けられ、この速度差によりブラシ部６９１がエアフィルタ６３１の全面を掃くことができる。この速度差を設ける方法としては、例えば、ピニオンギア６９３の直径とブラシ部６９１の直径とを所定の比率に設定する方法を挙げることができる。
【０１２７】
ブラシ部６９１により取り除かれた塵埃などは、一部は重力により下方に落下し、残りはブラシ部６９１に付着する。落下した塵埃などのうち一部は、図３０に示すように、すき歯７０５の隙間から貯留部６９９内に落下し、残りは、すき歯７０５と衝突し、すき歯７０５の縁部の傾斜に沿って中央側へ落下し、貯留部６９９内に落下する。
ブラシ部６９１に付着した塵埃などは、ブラシ部６９１がすき歯７０５の隙間を通るときにブラシ部６９１からすき取られる。すき歯７０５にすき取られた塵埃などは、すき歯７０５の隙間から貯留部６９９内に落下する。
貯留部６９９内に貯留された塵埃は、上方にすき歯７０５および回転ブラシ６８５が塞ぐように配置されているため、清掃部６３３から外部にこぼれることがない。
【０１２８】
次に、貯留部６９９内に貯留された塵埃などの取り除き方法について説明する。
まず、貯留部６９９内に貯留された塵埃量の検出について説明する。
エアフィルタ６３１に付着した塵埃などを取り除いた清掃部６３３は、図３３に示すように、エアフィルタ６３１が配置された領域から、塵埃量検知部７１５の蓋部７１７が配置された領域にまで移動される。
清掃部６３３が蓋部７１７の領域まで移動されると、ファン７１９が回転し、清掃部６３３内の空気が吸引される。流量センサ７２１は、ファン７１９より吸引される空気の流量を検知し、空気の流量により貯留された塵埃量が推定される。なお、清掃部６３３が、エアフィルタ６３１の清掃を行っている間は、ファン７１９は停止しており、塵埃量の検出は行われていない。
例えば、貯留部６９９に貯留された塵埃量が多い場合には、ファン７１９により吸引される空気の流量が少なくなり、貯留部６９９に貯留された塵埃量が少ない場合には、ファン７１９により吸引される空気の流量が多くなる。
【０１２９】
なお、上述のように、塵埃量検知部７１５にファン７１９に吸引された空気の流量を検知する流量センサ７２１を設けてもよいし、ファン７１９に吸引された空気の圧損（圧力）を検知する圧損センサを設けてもよく、特に限定するものではない。この構成の場合、貯留部６９９に貯留された塵埃量が多い場合には、ファン７１９により吸引される空気流れにおける圧損が大きくなり、貯留部６９９に貯留された塵埃量が少ない場合には、ファン７１９により吸引される空気流れにおける圧損が小さくなる。
【０１３０】
塵埃量検知部７１５により検知された塵埃量が所定量に到達していた場合には、例えば、室内機ユニット６０３から使用者に対して貯留部６９９内の塵埃を取り除く必要がある旨の警告が発せられる。
貯留部６９９に貯留された塵埃を取り除く場合には、まず、図２２に示すように、天面パネル１４から吸込みグリル１９が下方に降ろされる。吸込みグリル１９の下ろす際の作用については、第１の実施形態と同様であるので、その説明を省略する。
吸込みグリル１９には、エアフィルタ６３１、清掃部６３３および下部伝達部６７５が備えられているため、吸込みグリル１９を降ろすことにより、エアフィルタ６３１、清掃部６３３および下部伝達部６７５も同時に天面パネル１４から下方に降ろされる。
このとき、駆動モータ６３５から清掃部６３３への駆動力伝達経路は、上部伝達部６３９と下部伝達部６７５との間で切り離される。つまり、図２５に示すように、下部伝達部６７５がエアフィルタ６３１などとともに下降することにより、上部伝達部６３９と下部伝達部６７５との係合が解かれる。吸込みグリル１９が天面パネル１４から降ろされる場合には、清掃部６３３はエアフィルタ６３１の一方の端部（図２２においては、右側の端部）に移動されている。
【０１３１】
図３４は、図２２のエアフィルタから清掃部を取り外す方法を説明する図である。
まず、下降された吸込みグリル１９上において、清掃部６３３と係合された下部伝達部６７５が取り外される。清掃部６３３と下部伝達部６７５とは、図２９に示すように、把持部７０９がブラケット７０１を上方から挟むことにより係合されているため、把持部７０９を上方へ引っ張ることにより、清掃部６３３から取り外すことができる。
【０１３２】
図３５は、図２２のエアフィルタから清掃部を取り外す方法を説明する図である。
エアフィルタ６３１の上面側に配置された下部伝達部６７５が取り外されると、図３５に示すように、エアフィルタ６３１は、他方の端部（図３５において右側の端部）を中心に、一方の端部（図３５において左側の端部）を上方に持ち上げるように回動される。
エアフィルタ６３１の一方の端部が持ち上げられると、エアフィルタ６３１の下面側に配置された清掃部６３３が露出される。清掃部６３３は、吸込みグリル１９から上方へ取り外される。
【０１３３】
図３６は、図２２のエアフィルタから清掃部を取り外す方法を説明する図である。
エアフィルタ６３１から取り外された清掃部６３３は、図３６に示すように、ダストボックス６８７の本体６９７と貯留部６９９とが分離され、貯留部６９９内に貯留された塵埃が取り除かれる。
塵埃が貯留部６９９から取り除かれると、上述の工程を逆にたどることにより、清掃部６３３とエアフィルタ６３１と吸込みグリル１９とが組み合わされ、吸込みグリル１９が上方へ引き上げられる。
【０１３４】
上記の構成によれば、駆動モータ６３５において発生した駆動力を、往復動部６３７、上部伝達部６３９、下部伝達部６７５を介して清掃部６３３に伝達することができる。そのため、清掃部６３３は、駆動モータ６３５から伝達された駆動力により、エアフィルタ６３１における空気流入側の面に沿って移動され、回転ブラシ６８５によってエアフィルタ６３１に捕集された塵埃を除去することができる。
【０１３５】
天面パネル１４上に設置されたフレーム６４１には、駆動モータ６３５、往復動部６３７および上部伝達部６３９が配置されるとともに、エアフィルタ６３１には、清掃部６３３および下部伝達部６７５が配置され、上部伝達部６３９と下部伝達部６７５とが係合離脱可能に構成されている。そのため、筐体１５とエアフィルタ６３１を含む吸込みグリル１９との着脱と、駆動モータ６３５による清掃部６３３の駆動と、を両立させることができる。
つまり、吸込みグリル１９を筐体１５から着脱する場合には、上部伝達部６３９と下部伝達部６７５との間で係合離脱が行われるため、吸込みグリル１９の着脱が阻害されることがない。また、一度取り外された吸込みグリル１９を筐体１５に再び取り付ける際には、上部伝達部６３９と下部伝達部６７５とが再び係合されるため、駆動モータ６３５による清掃部６３３の駆動が阻害されることがない。
この構成により、メンテナンスの必要な清掃部６３３、エアフィルタ６３１のみを筐体から取り外して回収することができ、エアフィルタ６３１等のメンテナンスにかかる労力を軽減することができる。
【０１３６】
下部伝達部６７５が、エアフィルタ６３１における空気が流出する面側に配置されているため、エアフィルタ６３１は清掃部６３３と下部伝達部６７５との間に挟まれる。そのため、エアフィルタ６３１と清掃部６３３と下部伝達部６７５とを一体として筐体１５から着脱することができる。
さらに、下部伝達部６７５は清掃部６３３に対して着脱可能に結合されているため、筐体１５から一体として取り外したエアフィルタ６３１と清掃部６３３と下部伝達部６７５とから、エアフィルタ６３１と清掃部６３３とを別個に取り外すことができる。そのため、清掃部６３３とエアフィルタ６３１のメンテナンスを行いやすくできる。
【０１３７】
回転ブラシ６８５が長手軸線周りに回転する回転軸６８９と、回転軸６８９の半径方向に延びるブラシ部６９１とを備えるため、回転軸６８９が回転することにより、ブラシ部６９１が回転してエアフィルタ６３１に捕集された塵埃を取り除くことができる。
ダストボックス６８７は、回転ブラシ６８５を覆うとともに、回転ブラシ６８５がエアフィルタ６３１から取り除いた塵埃をダストボックス６８７内に一時的に貯留することができる。ダストボックス６８７は、回転ブラシ６８５がエアフィルタ６３１と接触する開口を備えるため、回転ブラシ６８５をエアフィルタ６３１に接触させて、エアフィルタ６３１に捕集された塵埃を回転ブラシ６８５により取り除くことができる。
【０１３８】
回転軸６８９の両端にはピニオンギア６９３が設けられ、エアフィルタ６３１にはピニオンギア６９３と係合される回転用ラックギア６７７が設けられているため、清掃部６３３をエアフィルタ６３１の面に沿う方向へ移動させる駆動力を、回転ブラシ６８５を回転させる回転駆動力に変換することができる。
つまり、清掃部６３３が移動すると、回転ブラシ６８５もエアフィルタ６３１の面に沿って移動する。このとき、ピニオンギア６９３と回転用ラックギア６７７とが係合しているため、回転ブラシ６８５をエアフィルタ６３１の面に沿って移動させる駆動力は、回転ブラシ６８５を回転させる回転駆動力に変換される。
ピニオンギア６９３は回転軸６８９の両端に設けられているため、回転ブラシ６８５を回転させる回転駆動力は、回転軸６８９の両端において発生する。そのため、回転軸６８９の一端において回転駆動力を発生させる場合と比較して、回転ブラシ６８５を安定して回転させることができる。
【０１３９】
ダストボックス６８７には内面から回転ブラシ６８５に向かって延びるすき歯７０５が設けられているため、回転ブラシ６８５に付着した塵埃を取り除くことができる。つまり、回転ブラシ６８５が回転する際に、ブラシ部６９１がすき歯７０５の間を通ることにより、ブラシ部６９１に付着した塵埃がブラシ部６９１から取り除かれる。
すき歯７０５により取り除かれた塵埃は、ダストボックス６８７内に一時的に貯留される。すき歯７０５は蓋としての役割を果たし、一時的に貯留された塵埃がダストボックス６８７から外部へ飛び出すことを防止できる。
【０１４０】
ブラシ部６９１の先端における回転速度と、回転ブラシ６８５におけるエアフィルタ６３１の面に沿って移動する速度とが、所定の速度差を有するため、エアフィルタ６３１の全面を清掃することができる。つまり、ブラシ部６９１先端の回転速度と、回転ブラシ６８５の移動速度とが所定の速度差を有するため、ブラシ部６９１先端は所定の速度でエアフィルタ６３１の面を掃くことができる。そのため、ブラシ部６９１先端の回転速度と、回転ブラシ６８５の移動速度との差が小さい場合と比較して、回転ブラシ６８５のブラシ部６９１をエアフィルタ６３１に満遍なく当てることができ、エアフィルタ６３１の全面を清掃できる。
【０１４１】
回転軸６８９の回転による摺動抵抗を低減する摺動部６９５が、回転軸６８９とダストボックス６８７との間に設けられているため、回転ブラシの寿命とダストボックス６８７の寿命とを延長させることができる。つまり、摺動部６９５を設けることにより、回転軸６８９とダストボックス６８７との接触箇所に発生する摩擦を低減し、上記接触箇所における磨耗量を低減させることができる。そのため、回転ブラシ６８５の寿命とダストボックス６８７の寿命とを延長させることができる。
【０１４２】
塵埃量検知部７１５が設けられているため、ダストボックス６８７に貯留された塵埃量を知ることができる。そのため、ダストボックス６８７が塵埃で一杯になることを防止でき、清掃部６３３による塵埃除去能力の低下を防止できる。
具体的には、塵埃量検知部７１５がファン７１９と流量センサ７２１とを備えることにより、ダストボックス６８７に貯留された塵埃量を検知することができる。つまり、ダストボックス６８７に貯留された塵埃量が少ない場合には、ダストボックス６８７を通る空気の流量が増加する、または、空気の圧力が上昇する。一方、ダストボックス６８７に貯留された塵埃量が多い場合には、ダストボックス６８７を通る空気の流量は減少する、または、空気の圧力が低下する。流量センサ７２１により、これら空気の流量または圧力を検出することで、ダストボックス６８７に貯留された塵埃量を推定することができる。
【０１４３】
往復動部６３７が、清掃部６３３の略中央部であって、清掃部６３３の長手方向に対して交差する方向に延びるように配置され、往復動部６３７の駆動力が清掃部６３３の両端に伝達されるため、清掃部６３３を安定して移動させることができる。つまり、清掃部６３３の略中央部に上記駆動力を伝達させる方法と比較して、駆動力を清掃部６３３の両端に同量の駆動力を伝達することができ、清掃部６３３を安定して駆動することができる。
また、清掃部６３３の両端にそれぞれ往復動部６３７を備える方法と比較して、往復動部６３７の数を減らすことができ、室内機ユニット６０３の小型化を図ることができる。
【０１４４】
駆動用ラックギア６４９に係合されたウォームギア６４７が、駆動用シャフト６４５により回転駆動されることにより、駆動用ラックギア６４９が延びる方向に沿って往復動される。ウォームギア６４７の往復動は、上部伝達部６３９および下部伝達部６７５を介して清掃部６３３に伝達されるため、清掃部６３３は往復駆動される。
【０１４５】
規制部６５５を備えることにより、例えば、ウォームギア６４７と駆動用ラックギア６４９との間隔が広がることを規制でき、ウォームギア６４７が駆動用ラックギア６４９から脱輪することを防止できる。
規制部６５５、ネジ６５７および接触部６６５が設けられていることにより、上部伝達部６３９がウォームギア６４７から外れることを防止できる。例えば、ウォームギア６４７との摺動荷重、清掃部６３３の移動に伴う抵抗力が上部伝達部６３９にかかった場合に、上部伝達部６３９がウォームギア６４７から外れることを防止できる。
【０１４６】
エアフィルタ６３１が、吸込みグリル１９に支持されていることにより、筐体１５からエアフィルタ６３１を吸込みグリル１９とともに一括して取り外すことができるため、筐体１５からエアフィルタ６３１を取り外しやすくできる。
【０１４７】
エアフィルタ６３１は、一方の端部側において吸込みグリル１９に対して回動可能に支持されているため、清掃部６３３をエアフィルタ６３１に着脱させやすくできる。
【０１４８】
筐体１５と天面パネル１４との間にスペーサ６１４を備えることにより、室内機ユニット６０３に駆動モータ６３５や、往復動部６３７や、上部伝達部６３９や、下部伝達部６７５や、清掃部６３３を配置する空間を設けることができる。
そのため、清掃部６３３などを備えない室内機ユニットの筐体１５や、室内ファン２１や、室内熱交換器２３などと、本実施形態における室内機ユニット６０３の構成部品との間に共通性を持たせることができ、室内機ユニット６０３の製造コストを低減させることができる。
【０１４９】
なお、本実施形態のように、往復動部６３７が清掃部６３３の略中央部に配置されていても良いし、往復動部６３７が、清掃部６３３の両端近傍であって、清掃部６３３の長手方向に対して交差する方向に延びるように配置されていてもよく、特に限定するものではない。
このように構成することで、往復動部６３７の駆動力が、清掃部６３３の両端に伝達されるため、清掃部６３３を安定して移動させることができる。つまり、本実施形態のように清掃部６３３の略中央部に上記駆動力を伝達させる方法と比較して、駆動力を清掃部６３３の両端に同量の駆動力を伝達することができ、清掃部６３３を安定して駆動することができる。
また、本実施形態のように、清掃部６３３の略中央に往復動部６３７を１つ備える方法と比較して、個々の往復動部６３７を小さくすることができる。
【０１５０】
なお、本実施形態のように、往復動部６３７が、駆動用シャフト６４５と駆動用ラックギア６４９とウォームギア６４７とから構成されていてもよいし、往復動部６３７が、ベルト駆動機構であってもよく、特に限定するものではない。
このように構成することにより、本実施形態のように、往復動部６３７が駆動用シャフト６４５と駆動用ラックギア６４９とウォームギア６４７とから構成される場合と比較して、往復動部６３７の構造を簡略化することができる。さらに、ベルト駆動機構に備えられる駆動モータ６３５の選択の自由度を高くすることができる。
【０１５１】
また、上記においては、筐体１５と天面パネル１４との間にスペーサ６１４を備えた実施形態について説明したが、このスペーサ６１４はかならず必要なものではない。つまり、清掃部６３３などをオプションとして装備可能にする場合、これらの配置空間を確保するため必要な構成部品となるが、清掃部６３３などを標準装備する場合は、スペーサ無しで専用設計すればよい。
【０１５２】
なお、本発明の技術範囲は上記実施形態に限定されるものではなく、本発明の趣旨を逸脱しない範囲において種々の変更を加えることが可能である。
例えば、上記の実施の形態においては、室内機ユニットと室外機ユニットとが一対一に対応する空気調和機に適用して説明したが、その他にも、複数台の室内機ユニットに対して一台の室外機ユニットが対応する空気調和機や、複数台の室内機ユニットに対して複数台の室外機ユニットが対応する空気調和機に適用してもよく、特に限定するものでない。
【符号の説明】
【０１５３】
１，１０１，１５１，２０１，２５１，３０１，３５１，４０１，５０１，６０１  空気調和機
３，１０３，１５３，２０３，２５３，３０３，３５３，４０３，５０３，６０３  室内機ユニット
５  室外機ユニット
１５  筐体
３１，５３１，６３１  エアフィルタ
３５，１３５  ブラシ部（塵埃除去部）
３７，１３７，１８７，２３７，２８７，３３７，３８７，４３７  ダストボックス（捕集部）
５７，４５７，５５７  昇降部
６４１  フレーム（筐体）
６８５  回転ブラシ（塵埃除去部）
６８７  ダストボックス（捕集部）
【図１】
2010096499.tif 000003
【図２】
2010096499.tif 000004
【図３】
2010096499.tif 000005
【図４】
2010096499.tif 000006
【図５】
2010096499.tif 000007
【図６】
2010096499.tif 000008
【図７】
2010096499.tif 000009
【図８】
2010096499.tif 000010
【図９】
2010096499.tif 000011
【図１０】
2010096499.tif 000012
【図１１】
2010096499.tif 000013
【図１２】
2010096499.tif 000014
【図１３】
2010096499.tif 000015
【図１４】
2010096499.tif 000016
【図１５】
2010096499.tif 000017
【図１６】
2010096499.tif 000018
【図１７】
2010096499.tif 000019
【図１８】
2010096499.tif 000020
【図１９】
2010096499.tif 000021
【図２０】
2010096499.tif 000022
【図２１】
2010096499.tif 000023
【図２２】
2010096499.tif 000024
【図２３】
2010096499.tif 000025
【図２４】
2010096499.tif 000026
【図２５】
2010096499.tif 000027
【図２６】
2010096499.tif 000028
【図２７】
2010096499.tif 000029
【図２８】
2010096499.tif 000030
【図２９】
2010096499.tif 000031
【図３０】
2010096499.tif 000032
【図３１】
2010096499.tif 000033
【図３２】
2010096499.tif 000034
【図３３】
2010096499.tif 000035
【図３４】
2010096499.tif 000036
【図３５】
2010096499.tif 000037
【図３６】
2010096499.tif 000038